(57)【特許請求の範囲】
【請求項１】
足底装着部材とふくらはぎ装着部材からなり、
前記足底装着部材の後端の踵部分に形成された連結用立上がり傾斜部と、前記ふくらはぎ装着部材の下端の踵部分に形成された連結用下がり傾斜部が重ねられて構成されると共に、当該重なり部が転がり軸受け及び／または滑り軸受けを介して外反方向または内反方向に回転自在に連結され、足底装着部材が足関節の外反内反方向の動きに連れて回転しつつ背屈するものであり、
且つ該回転許容角度の規制機構が設けられてなるものであることを特徴とする下肢用矯正装具。
【請求項２】
前記規制機構が、前記足底装着部材と前記ふくらはぎ装着部材の間に渡された可撓性帯部材であり、該可撓性帯部材の緊張状態をもって回転許容角度の限界としたものである請求項１に記載の下肢用矯正装具。
【請求項３】
前記可撓性帯部材がアラミド繊維を用いたものである請求項２に記載の下肢用矯正装具。
【請求項４】
前記可撓性帯部材が、前記ふくらはぎ装着部材と前記足底装着部材に対して着脱自在である請求項２または３に記載の下肢用矯正装具。
【請求項５】
前記規制機構が、前記足底装着部材と前記ふくらはぎ装着部材の当接により行われるものであり、該当接を回転許容角度の限界としたものである請求項１に記載の下肢用矯正装具。
【発明の詳細な説明】
【０００１】
【発明の属する技術分野】
本発明は、足の内反・外反変形等の矯正のために用いられる下肢用矯正装具に関するものである。
【０００２】
【従来の技術】
例えば脳障害に伴う痙性麻痺者等は、歩行運動に際して尖足内反変形若しくは尖足外反変形等を生じて合理的歩行が損ねられ、一層不安定な歩行になることがある。この様な場合には、しばしばシューホン型（スキーブーツ型）や両側支柱付の足関節底屈制限短下肢装具等が用いられ、足関節の変形矯正と筋バランスの修正を図っている。
【０００３】
図７は従来のシューホン型短下肢装具を示す斜視図であり、(a) は側後方からの斜視図、(b) は前上方から約４５゜の角度で見おろした斜視図である（従来例▲１▼）。
【０００４】
図示した短下肢装具４０は外反足の矯正を行う場合に用いられる右足用の装具であり、足のふくらはぎ部分を保持する合成樹脂製ふくらはぎ保持部材４１と、足の裏を保持する合成樹脂製足底装着部材４２、及び踵部分に設けられた合成樹脂製ヒールカップ４３からなり、上記ふくらはぎ保持部材４１と上記足底装着部材４２が２つのジョイント４４によって足首近傍で連結され、この連結部分を内側から覆う様に上記ヒールカップ４３が嵌め込まれている。尚図中の４５は、ふくらはぎ保持部材４１や足底装着部材４２にジョイント４４を留めるネジであり、４６は足に短下肢装具４０を装着固定する為のベルトである。
【０００５】
上記ジョイント４４はウレタン樹脂製で弾性を有し、内果付近とアキレス腱付近の２カ所に設けられ、該ジョイント４４が折曲げ・曲げ戻しされることにより、ふくらはぎ保持部材４１と足底装着部材４２が開閉する様に稼動可能となって、足の底背屈ができる様になっている。尚上記短下肢装具４０の場合は足が外反方向に背屈しようとした際には、ヒールカップ４３の上端部分４３ａがふくらはぎ保持部材４１内壁に当接して、その背屈を一定角度で停止させる様になっており、従ってこの短下肢装具４０は内反方向の底屈（矢印Ａ方向）のみに稼動可能となって、外反足の矯正ができるものである。
【０００６】
上記従来例▲１▼の短下肢装具４０は回転なしに真っ直ぐに開閉する動きであるが、実際には足関節の底背屈動作はやや回転しながら進行するものであるから、上記従来例▲１▼の短下肢装具４０では足の円滑な底屈運動が行えず、後足部の外反等の痙性変形が矯正されないばかりでなく、着用者に疼痛等を生じる場合がある。
【０００７】
そこで、回転しつつ底背屈が可能である様な下肢用矯正装具が提案されている。
【０００８】
図８はこの様な下肢用矯正装具３０を表す斜視図であり（従来例▲２▼）、内反足を矯正する場合の右足用装具を示している。
【０００９】
該下肢用矯正装具３０は、足のふくらはぎ部分に取付けられる金属製ふくらはぎ装着部材３１と、足の裏部分に取付けられる金属製足底装着部材３２、及びこれらふくらはぎ装着部材３１と足底装着部材３２を踵部分で９０゜に連結するＬ字状継手３３からなり、また上記ふくらはぎ装着部材３１と上記足底装着部材３２の夫々踵部分には夫々笠歯車３４ｂ，３４ｃが設けられている。尚上記下肢用矯正装具３０の使用にあたっては、足底装着部材３２に設けられた靴３５（図８に一点鎖線で示す）を履き、ふくらはぎ装着部材３１に設けられた腿部保持バンド３６（図８に一点鎖線で示す）をふくらはぎに装着する。
【００１０】
上記笠歯車３４ｂ，３４ｃは円錐台形の傾斜面に沿って放射状に歯が形成されたものであり、これらふくらはぎ装着部材３１の笠歯車３４ｂと足底装着部材３２の笠歯車３４ｃは９０゜に噛み合わされ、該笠歯車の回転に伴って継手３３がスライドしつつ、ふくらはぎ装着部材３１に対して足底装着部材３２が回転して背屈できる様になっている（矢印Ｂ方向）。但しふくらはぎ装着部材３１の内側下端部３１ａと足底装着部材３２の後端部３２ａが当接して動きを規制しているから、内反への動きが止められている。一方底屈方向への動きは、継手３３によって規制されている。従ってこの下肢用矯正装具３０は外反方向に回転しつつ外旋背屈する動きのみが行え、よって内反足を矯正することができる。
【００１１】
尚外反運動を規制する場合には、ふくらはぎ装着部材３１の外側下端部と足底装着部材３２の後端部が当接する様にする。
【００１２】
【発明が解決しようとする課題】
しかし上記従来例▲２▼の様に歯車を用いた下肢用矯正装具３０は、重くなりがちであり、使用感が悪く、しかも歯車の噛み合わせによる揺動機構は噛み合わせ部分が摩耗し易く、次第にガタツキを生じることは避けられず、また壊れ易いという問題がある。
【００１３】
そこで本発明は以上のような問題に鑑みてなされたものであり、軽く丈夫な下肢用矯正装具を提供することを目的とする。
【００１４】
【課題を解決するための手段】
本発明に係る下肢用矯正装具は、足底装着部材とふくらはぎ装着部材からなり、前記足底装着部材の後端の踵部分に形成された連結用立上がり傾斜部と、前記ふくらはぎ装着部材の下端の踵部分に形成された連結用下がり傾斜部が重ねられて構成されると共に、当該重なり部が転がり軸受け及び／または滑り軸受け（平軸受け）を介して外反方向または内反方向に回転自在に連結され、足底装着部材が足関節の外反内反方向の動きに連れて回転しつつ背屈するものであり、且つ該回転許容角度の規制機構が設けられてなるものであることを要旨とする。
【００１５】
転がり軸受けや滑り軸受けは、駆動部分に歯車を用いておらないので摩耗そのものが少なく、従ってガタツキが生じ難い。即ち構造的に頑丈で壊れ難いから、激しい運動や長期間の使用に耐え、適切な足関節の稼動を可能とする。また転がり軸受けや滑り軸受けは軽い部材とすることができるから、下肢用矯正装具全体としても軽量化でき、使用感が良くなる。加えて、従来例▲１▼の装具の様に連結部（ジョイント４４）が樹脂製のものでは、強度の点から症状の重い人には用いられないものであったが、上記の様に転がり軸受けや滑り軸受けを用いて連結された下肢用矯正装具であれば、症状の軽い人から重い人まで広く使用が可能である。
【００１６】
特に上記滑り軸受けは薄いものとすることができるから、足底装着部材とふくらはぎ装着部材の連結部分を薄くすることができ、従って足と一体感のある優れた外観の下肢用矯正装具となる。
【００１７】
尚上記ふくらはぎ装着部材や上記足底装着部材の素材としてはジュラルミンやＳＵＳ，チタン系合金等が好ましく、軽量で良好な強度や耐食性を示す下肢用矯正装具が得られる。
【００１８】
また本発明においては、前記規制機構が前記足底装着部材と前記ふくらはぎ装着部材の間に渡された可撓性帯部材であり、該可撓性帯部材の緊張状態をもって回転許容角度の限界としたものであることが好ましい。
【００１９】
従来例▲２▼の下肢用矯正装具は内反や外反運動の規制を、ふくらはぎ装着部材の下端部と足底装着部材の後端部の当接により行っていたから、当接部が摩耗し易く、歪を生じる恐れがあるが、上記本発明の様に可撓性帯部材を掛け渡したものは、当接するのではなく、可撓性帯部材の緊張により上記転がり軸受けや滑り軸受けの回転を規制しているから、歪を生じる恐れがない。加えて従来のふくらはぎ装着部材や足底装着部材は高硬度であるから稼動の停止が急激でしかも硬質的となって足に衝撃を与える恐れがあるが、上記可撓性帯部材として多少弾性を有する素材を用いれば、該可撓性帯部材の伸長時にクッション性を示すから、足への衝撃が軽減される。尚回転許容角度範囲内においては上記可撓性帯部材が撓んだ状態となる。
【００２０】
更に本発明においては、前記可撓性帯部材がアラミド繊維を用いたものであることが好ましい。アラミド繊維は強靭であるから、下肢用矯正装具の過度の使用にも十分に耐えることができる。
【００２１】
加えて本発明においては、前記可撓性帯部材が前記ふくらはぎ装着部材と前記足底装着部材に対して着脱自在であることが好ましい。
【００２２】
下肢用矯正装具は可撓性帯部材の長さによって背屈の許容角度が決定されるものであるが、症状の改善等の変化に応じて、長さの異なる可撓性帯部材に変更することにより、所望範囲の背屈許容角度に調節することができる。また可撓性帯部材が損傷した場合にも新しいものに取り替えることができるから、下肢用矯正装具を長期間使用することが可能である。
【００２３】
また本発明においては、前記規制機構が前記足底装着部材と前記ふくらはぎ装着部材の当接により行われるものであり、該当接を回転許容角度の限界としたものであることが好ましい。特に足底装着部材の上記当接部分とふくらはぎ装着部材の上記当接部分の夫々を可撓性樹脂製としたものにあっては、回転を規制する際に柔らかく当接する様になるから、回転規制の衝撃が少ない。
【００２４】
また本発明に係る下肢用矯正装具を足に装着した上に靴を履く様にしても良いが、上記下肢用矯正装具を靴と一体としたものであっても良い。
【００２５】
尚下肢用矯正装具の上に靴を履くタイプ（内装具タイプ）のものは、靴を履かない室内においても装着使用できるものであるから、装着時間を長くして症状の改善を促進できる。
【００２６】
下肢用矯正装具専用靴としては、前記内装具形式の下肢用矯正装具を装着するための靴であって、該靴の内部が前記下肢用矯正装具の外側形状に適合した凹部を有し、前記靴の挿入口の後部分が伸縮自在であるものが良い。
【００２７】
下肢用矯正装具は足底装着部材とふくらはぎ装着部材が踵付近で連結されているが、この連結部分は足のラインよりも後方へ突出した形状になりがちである。従って該下肢用矯正装具（内装具タイプ）を装着した上に通常の靴を履くと、足底部分のサイズは合っていても、足首近傍がフィットせず、容易に靴が脱げてしまう恐れがある。
【００２８】
しかし下肢用矯正装具専用靴においては上述の様に内部が下肢用矯正装具の外側形状に適合した凹部を有しているから靴が下肢用矯正装具に適正にフィットする。加えて足の挿入時においては上述の様に挿入口の後部分が伸縮自在であるから、該挿入口後部分を伸長させることで、出っ張った連結部分も円滑に挿入することができる。尚上記挿入口後部分の素材としては板状ゴム等が挙げられる。
【００２９】
或いは下肢用矯正装具専用靴としては、前記内装具形式の下肢用矯正装具を装着するための靴であって、該靴の内部が前記下肢用矯正装具の外側形状に適合した凹部を有し、前記靴の挿入口の後部分が開閉自在であるものが良い。
【００３０】
該靴においても、靴に足を挿入する時には挿入口後部分を開けることで出っ張った連結部分を円滑に挿入することができ、そして挿入口後部分を閉じれば足首近傍がフィットして靴が容易に脱げてしまうという恐れがない。
【００３１】
【発明の実施の形態及び実施例】
＜実施例１＞
図１は本発明の一実施例に係る下肢用矯正装具１０を示す斜視図であり、内反足を矯正する場合の右足用装具を示している。
【００３２】
該下肢用矯正装具１０は、ふくらはぎ部分に取付けられる金属製ふくらはぎ装着部材１１と、足の裏部分に取付けられる金属製足底装着部材１２からなり、上記ふくらはぎ装着部材１１の下端（踵部分）には連結用下がり傾斜部１１ｂが形成され、また上記足底装着部材１２の後端（踵部分）には連結用立上がり傾斜部１２ｂが形成されている。これら傾斜部１１ｂ，１２ｂは重ねられてローラーベアリング型連結部材１３を介して連結されている。
【００３３】
またふくらはぎ装着部材１１の外果付近に突出した舌部１１ａと、足底装着部材１２の外果付近に突出した舌部１２ａを掛け渡して、規制部材（規制機構）１４が設けられている。該規制部材１４はアラミド繊維製帯状布帛１４ｂとその両端に設けられた金属板部１４ａからなり、該金属板部１４ａが上記舌部１１ａ，１２ａにネジ１５により固定されている。
【００３４】
図２は上記下肢用矯正装具１０に靴３５及び腿部保持バンド３６が取付けられたものを表す斜視図であり、使用にあたっては靴３５を履き腿部保持バンド３６をふくらはぎに装着する。腿部保持バンド３６は金属製ガイド部１６の内側にクッション材１７を取付けたものであり、調節ベルト１８によって足挿通部分の周径を調節できる様になっている。尚図中の３５ａは靴３５の底ゴムである。
【００３５】
上記ローラーベアリング型連結部材１３は、ふくらはぎ装着部材１１の軸と足底装着部材１２の軸の両方に対して傾斜した単一の回転軸を有し、該回転軸回りに上記足底装着部材１２が揺動し、足関節の外反内反方向の動きに連れて回転しつつ背屈する動きができる様になっている。但し、上記下肢用矯正装具１０は内反方向に動かそうとした場合に、舌部１１ａ，１２ａに掛け渡された規制部材１４によって動きが規制される（回転許容角度限界）。一方外反方向に背屈する動きの際は、上記規制部材１４のアラミド帯状布帛１４ｂが可撓性を有するから、該帯状布帛１４ｂが撓み、円滑に背屈が行われる。尚外反方向に強く背屈した場合には上記舌部１１ａ，１２ａや金属板部１４ａが当接して動きを規制する様になるから、上記舌部１１ａ，１２ａや金属板部１４ａの大きさは、背屈の許容角度を考慮したものとするのが望ましい。
【００３６】
以上の様に上記下肢用矯正装具１０は、外反方向に回転しつつ外旋背屈する動きのみが行え（矢印Ｃ方向）、従って円滑な背屈運動を行いつつ、内反足を矯正することができる。
【００３７】
しかもふくらはぎ装着部材１１と足底装着部材１２の連結部であるローラーベアリング型連結部材１３は頑丈であり、歪がほとんど生じないから、長期間の使用に耐え得る。加えてローラーベアリング型連結部材１３は従来の歯車による連結機構に比べ、軽量に構成できるから、下肢用矯正装具１０全体として軽量となり、使用感が良くなる。
【００３８】
使用によりアラミド製帯状布帛１４ｂが傷んできた場合には、ネジ１５の操作により、新しい規制部材１４への取り替えが可能である。また背屈の角度を変更する場合においても、所望長さの規制部材１４に取り替えることにより、容易に許容角度調整を行うことができる。
【００３９】
＜実施例２＞
図３の(a) は本発明に係る下肢用矯正装具（内装具形式）の実施例２を示す斜視図であり、内反足を矯正する場合の右足用装具を示している。
【００４０】
下肢用矯正装具２０は、ふくらはぎ部分を保持するふくらはぎ装着部材２１と、足を保持する足底装着部材２２、及び合成樹脂製ヒールカップ２３からなる。ふくらはぎ装着部材２１の本体２７は合成樹脂製であり、その下側には金属製連結部材２４が設けられ、該金属製連結部材２４は踵部分で連結用下がり傾斜部２４ｂを形成している。また足底装着部材２２の本体２８も合成樹脂製であり、その後側に金属製連結部材２５が設けられ、該金属製連結部材２５が踵部分で連結用立上がり傾斜部２５ｂを形成している。これら傾斜部２４ｂ，２５ｂは重ねられて平滑剤付スラストワッシャ（滑り軸受け）２６を介して連結されている。図３の(b) はこの金属製連結部材２４と金属製連結部材２５の連結箇所を示す側面図である。
【００４１】
上記スラストワッシャ２６は、上記実施例１と同様にふくらはぎ装着部材２１の軸と足底装着部材２２の軸の両方に対して傾斜した単一の回転軸を有し、該回転軸回りに上記足底装着部材２２が揺動し、足関節の外反内反方向の動きに連れて回転しつつ外旋背屈する動きができる様になっている。しかも上記スラストワッシャ２６は薄いものであるから、下肢用矯正装具２０の外観形状を足と一体観のあるものにでき、また下肢用矯正装具２０を軽いものにすることができる。
【００４２】
尚本実施例２では、金属製の連結部材２４，２５が直接足に接触すると不快感があるから、これを防ぐ為に下肢用矯正装具２０の踵付近に合成樹脂製ヒールカップ２３が取付けられている。また該ヒールカップ２３によって踵をきっちりと捕らえることができるから、矯正効果の増進につながる。尚ヒールカップ２３の側面部分は踝に当接しない高さとなっている。
【００４３】
図４は上記下肢用矯正装具２０の回転許容角度規制機構を説明するための図であり、下肢用矯正装具２０の内側足首部分を裏側（足接触側）から見た図である。
【００４４】
図３の(a) 及び図４に示す様に、上記足底装着部材２２の内側足首近傍には嵌合凹部２２ａが設けられ、該嵌合凹部２２ａは上記ふくらはぎ装着部材２１の下端の嵌合凸部２１ａを嵌め込む様にして当接できる形状になっている。
【００４５】
ふくらはぎ装着部材２１にスラストワッシャ２６を介して連結された足底装着部材２２が揺動すると、上記嵌合箇所においては図４の矢印Ｄ1 ，Ｄ2 で示す様に足底装着部材２２が動き、嵌合凸部２１ａと嵌合凹部２２ａが嵌合する様にして当接し（図に実線で示す）、また離反（図に一点鎖線で示す）する様になる。嵌合凸部２１ａと嵌合凹部２２ａが嵌合当接すると、それ以上のＤ1 方向への動きが規制され（回転許容角度限界）、内反内旋の動きが止められる。一方離反する方向（Ｄ2 方向）へは規制がなく、円滑に外反外旋の動きが促される。
【００４６】
以上の様に上記下肢用矯正装具２０は、外反方向に回転しつつ外旋背屈する動きのみが行え（図３(a) に示す矢印Ｅ方向）、従って円滑な背屈運動を行いつつ、内反足を矯正することができる。
【００４７】
＜実施例３＞
図５はふくらはぎ装着部材と足底装着部材の連結に用いられる滑り軸受けの他の例を示す斜視図である。
【００４８】
連結用下がり傾斜部５４ｂ及び連結用立上がり傾斜部５５ｂは夫々おわん型に窪んでおり、これらはシリコン樹脂板５６を介して連結され、揺動自在となっている。尚図中、５４ａはふくらはぎ装着部材の本体に連結される舌片で、５５ａは足底装着部材の本体に連結される舌片である。
【００４９】
この滑り軸受け部分は上記の様におわん型をしているから、踵の丸みにそくしたコンパクトなものにでき、よって下肢用矯正装具の外観を足と一体観のある良好な形状にでき、また軽量化も図れる。
【００５０】
＜参考例１＞
図６の(a) は下肢用矯正装具専用靴６０の一参考例を示す斜め後方からの斜視図であり、図６の(b) は、足６７に上記実施例２の下肢用矯正装具２０を装着してその上に上記専用靴６０を履いた様子を表す側面図である。
【００５１】
上記専用靴６０の挿入口後部分６１は板状ゴムで構成され、伸縮自在となっており、また上記専用靴６０における足の挿入口６６の大きさは、足６７に下肢用矯正装具２０を装着した状態でフィットする大きさである。専用靴６０の内部形状は下肢用矯正装具２０の外側形状に適合した凹部を有しており、装着しているときにフィットし、違和感がない。尚図において、６５は足の甲部分に備えられた舌革で、６４は甲部分を止める為のベルト、６３は底ゴムである。
【００５２】
下肢用矯正装具２０は連結部分（踵部分）が出っ張った外形形状をしているが、上記専用靴６０の挿入口後部分６１は伸縮自在であるから、下肢用矯正装具２０を装着した足６７を専用靴６０に挿入するのに際して、上記挿入口後部分６１を伸長させることにより挿入口６６の大きさが広がり、容易に履くことができる。そして装着状態の時には上記挿入口後部分６１が収縮して挿入口６６の大きさが縮まり、靴６０が容易に脱げない様に止められる。
【００５３】
以上の様に本発明に係る下肢用矯正装具を、実施例を示す図面を参照しつつ具体的に説明したが、本発明はもとより図示例に限定される訳ではなく、前記の趣旨に適合し得る範囲で適当に変更を加えて実施することも可能であり、それらはいずれも本発明の技術的範囲に包含される。
【００５４】
例えば足の内反を可能とし、外反足の矯正用として用いる際には、実施例１の様な規制部材１４を用いたものの場合には、ふくらはぎ装着部材１１の舌部１１ａと足底装着部材１２の舌部１２ａを内果付近に突出させ、これらに規制部材１４を掛け渡した下肢用矯正装具にすると良い。また実施例２の様に嵌合当接を利用したものの場合には、外側足首近傍に嵌合凸部及び嵌合凹部を設けると良い。
【００５５】
また上記実施例の下肢用矯正装具においては、ふくらはぎ装着部材と足底装着部材の連結に、１つの転がり軸受け或いは滑り軸受けを用いたものを示したが、これに限らず、２以上の転がり軸受けや滑り軸受けを用いても良い。この際転がり軸受けと滑り軸受けを組み合わせて用いても良い。
【００５６】
また上記実施例３では連結用下がり傾斜部５４ｂ及び連結用立上がり傾斜部５５ｂがシリコン樹脂板５６を介して連結されたものを示したが、該シリコン樹脂板に限らず、他の平滑材を用いても良い。
【００５７】
【発明の効果】
本発明に係る下肢用矯正装具は、ふくらはぎ装着部材と足底装着部材の連結部は歪まず丈夫で長期間使用可能であり、しかも軽量であるから使用感が良い。
【図面の簡単な説明】
【図１】本発明の一実施例に係る下肢用矯正装具を示す斜視図。
【図２】図１に示す下肢用矯正装具に靴及び腿部保持バンドを取付けたものを表す斜視図。
【図３】  (a) は本発明に係る下肢用矯正装具の実施例２を示す斜視図、(b) は実施例２の金属製連結部材と金属製連結部材の連結箇所を示す側面図。
【図４】実施例２の下肢用矯正装具の回転許容角度規制機構を説明するための図。
【図５】本発明において用いられる滑り軸受けの他の例を示す斜視図。
【図６】(a) は下肢用矯正装具専用靴の一参考例を示す斜め後方からの斜視図、(b) は該専用靴を履いた様子を表す側面図。
【図７】従来例▲１▼のシューホン型短下肢装具を示す斜視図。
【図８】従来例▲２▼の笠歯車を用いた下肢用矯正装具を示す斜視図。
【符号の説明】
１０，２０，３０  下肢用矯正装具
１１，２１，３１  ふくらはぎ装着部材
１１ａ，１２ａ  舌部
１１ｂ，２４ｂ，５４ｂ  連結用下がり傾斜部
１２ｂ，２５ｂ，５５ｂ  連結用立上がり傾斜部
１２，２２，３２，４２  足底装着部材
１３  ローラーベアリング型連結部材
１４  規制部材
１４ａ  金属板部
１４ｂ  帯状布帛
１５，４５  ネジ
１６  金属製ガイド部
１７  クッション材
１８  調節ベルト
２１ａ  嵌合凸部
２２ａ  嵌合凹部
２３，４３  ヒールカップ
２４，２５  金属製連結部材
２６  スラストワッシャ
２７  ふくらはぎ装着部材本体
２８  足底装着部材本体
３１ａ  内側下端部
３２ａ  後端部
３３  継手
３４ｂ，３４ｃ  笠歯車
３５  靴
３５ａ，６３  底ゴム
３６  腿部保持バンド
４０  短下肢装具
４１  ふくらはぎ保持部材
４３ａ  上端部分
４４  ジョイント
４６  ベルト
５４ａ，５５ａ  舌片
５６  シリコン樹脂板
６０  下肢用矯正装具専用靴
６１  挿入口後部分
６４  ベルト
６５  舌革
６６  挿入口
６７  足
【図１】
0004149560.tif 000002
【図２】
0004149560.tif 000003
【図３】
0004149560.tif 000004
【図４】
0004149560.tif 000005
【図５】
0004149560.tif 000006
【図６】
0004149560.tif 000007
【図７】
0004149560.tif 000008
【図８】
0004149560.tif 000009